(57)【特許請求の範囲】
【請求項１】
ランプケース（４）に収容された基板（２）に実装されたＬＥＤ光源（１）と、ＬＥＤ光源（１）に電流を供給するためにランプケース（４）に形成された給電部（４ｂ）と、ＬＥＤ光源（１）からの光を導光する導光レンズ（８）とを具備し、
導光レンズ（８）の中心軸線（８’）とＬＥＤ光源（１）の光軸（１’）とが概略一致するように、導光レンズ（８）の中央部（８ａ）をＬＥＤ光源（１）の光軸（１’）上に配置し、
ＬＥＤ光源（１）の光軸（１’）と第１の角度（θ１）をなしてＬＥＤ光源（１）から照射された光（Ｌ１ａ）が入射する凸状の第１入射面（８ａ１）と、
ＬＥＤ光源（１）の光軸（１’）と第１の角度（θ１）より大きい第２の角度（θ２）をなしてＬＥＤ光源（１）から照射された光（Ｌ２ａ）が入射する概略円錐面状の第２入射面（８ａ２）と、
第２入射面（８ａ２）からの光（Ｌ２ａ’）を全反射してＬＥＤ光源（１）の光軸（１’）に概略平行な光（Ｌ２ｂ）にする反射面（８ａ３）と、
第１入射面（８ａ１）からの光（Ｌ１ｂ）および反射面（８ａ３）からの光（Ｌ２ｂ）の一部を透過させて出射する出射面（８ａ４）とを導光レンズ（８）の中央部（８ａ）に形成した電球互換型ＬＥＤランプ（１００）において、
第１入射面（８ａ１）からの光（Ｌ１ｂ）および反射面（８ａ３）からの光（Ｌ２ｂ）の一部を乱反射して、ＬＥＤ光源（１）の光軸（１’）から遠ざかりながら基板（２）の側に戻る光（Ｌ１ｄ，Ｌ２ｄ）にする概略ドット状のレンズカット（８ａ４ａ）を導光レンズ（８）の中央部（８ａ）の出射面（８ａ４）に形成し、
ＬＥＤ光源（１）の光軸（１’）から遠ざかりながら基板（２）の側に戻る光（Ｌ１ｅ，Ｌ２ｅ）を反射するためのリフレクタ（７）を、導光レンズ（８）の周囲部（８ｂ）と基板（２）との間に配置し、
リフレクタ（７）からの反射光（Ｌ１ｆ，Ｌ２ｆ）が、導光レンズ（８）の周囲部（８ｂ）を透過せしめられて、電球互換型ＬＥＤランプ（１００）の照射方向に照射されることを特徴とする電球互換型ＬＥＤランプ（１００）。
【請求項２】
ＬＥＤ光源（１）の光軸（１’）から遠ざかりながら基板（２）の側に戻る光（Ｌ１ｅ，Ｌ２ｅ）を反射するための中央反射面（７ａ）と、
中央反射面（７ａ）よりも径方向の外側に配置された周囲反射面（７ｂ）とをリフレクタ（７）に設け、
リフレクタ（７）の中心軸線（７’）と第３の角度（θａ）をなす直線を、リフレクタ（７）の中心軸線（７’）を中心に回転させることにより得られる円錐面を基本とする曲面によって中央反射面（７ａ）を構成し、
リフレクタ（７）の中心軸線（７’）と第３の角度（θａ）より小さい第４の角度（θｂ）をなす直線を、リフレクタ（７）の中心軸線（７’）を中心に回転させることにより得られる円錐面を基本とする曲面によって周囲反射面（７ｂ）を構成し、
径方向の外側の肉厚（ｔｏ）が径方向の内側の肉厚（ｔｉ）よりも大きい環状のレンズカット（８ｂ１ａ）を導光レンズ（８）の周囲部（８ｂ）に形成したことを特徴とする請求項１に記載の電球互換型ＬＥＤランプ（１００）。
【請求項３】
導光レンズ（８）の中心軸線（８’）とリフレクタ（７）の中心軸線（７’）とが概略一致するように、リフレクタ（７）を配置し、
リフレクタ（７）の中央反射面（７ａ）の外径（Ｄ７ａ）を、概略ドット状のレンズカット（８ａ４ａ）が形成された導光レンズ（８）の中央部（８ａ）の出射面（８ａ４）の直径（Ｄ８ａ４）よりも大きくし、
電球互換型ＬＥＤランプ（１００）の照射方向からリフレクタ（７）の中央反射面（７ａ）を見た時に、導光レンズ（８）の中央部（８ａ）の出射面（８ａ４）の概略ドット状のレンズカット（８ａ４ａ）がリフレクタ（７）の中央反射面（７ａ）に映って見えるように、リフレクタ（７）の中央反射面（７ａ）の傾斜を設定したことを特徴とする請求項２に記載の電球互換型ＬＥＤランプ（１００）。
【請求項４】
底部（６ａ）と、側壁部（６ｂ）と、ランプケース（４）の本体部（４ａ）の係止溝（４ａ１）とスナップフィットによって係合する係止爪（６ｃ）とを有するホルダ（６）を具備し、
基板（２）の位置決め穴（２ｃ）と嵌合する位置決め突起（６ａ２ａ）をホルダ（６）の底部（６ａ）の裏側表面（６ａ２）に形成し、
導光レンズ（８）の周囲部（８ｂ）のフリンジ部（８ｂ３）の外周面（８ｂ３ａ）と嵌合する第１内周面（６ｂ１）をホルダ（６）の側壁部（６ｂ）に形成し、
導光レンズ（８）の周囲部（８ｂ）のフリンジ部（８ｂ３）の外周面（８ｂ３ａ）に形成された係止突起（８ｂ３ａ１）とスナップフィットによって係合する係合穴（６ｂ１ａ）をホルダ（６）の側壁部（６ｂ）の第１内周面（６ｂ１）に形成し、
リフレクタ（７）のフリンジ部（７ｄ）の裏側表面（７ｄ２）に当接する当接部（６ｂ２）をホルダ（６）の側壁部（６ｂ）に形成し、
リフレクタ（７）のフリンジ部（７ｄ）の外周面（７ｄ１）と嵌合する第２内周面（６ｂ３）をホルダ（６）の側壁部（６ｂ）に形成したことを特徴とする請求項１〜３のいずれか一項に記載の電球互換型ＬＥＤランプ（１００）。
【請求項５】
ランプケース（４）の給電部（４ｂ）に供給された交流電流を直流電流に変換してＬＥＤ光源（１）に供給するための電源ユニット（５）をランプケース（４）の本体部（４ａ）内に収容し、
ランプケース（４）の本体部（４ａ）内に熱伝導性樹脂を充填し、
熱伝導性樹脂によって基板（２）の裏側表面（２ｂ）とランプケース（４）の本体部（４ａ）とを熱的に接続すると共に、熱伝導性樹脂によって電源ユニット（５）とランプケース（４）の本体部（４ａ）とを熱的に接続したことを特徴とする請求項４に記載の電球互換型ＬＥＤランプ（１００）。
【発明の詳細な説明】
【技術分野】
【０００１】
本発明は、ランプケースに収容された基板に実装されたＬＥＤ光源と、ＬＥＤ光源に電流を供給するためにランプケースに形成された給電部と、ＬＥＤ光源からの光を導光する導光レンズとを具備する電球互換型ＬＥＤランプに関する。
【０００２】
特に、本発明は、コストを削減しつつ、電球互換型ＬＥＤランプの照射方向から導光レンズの周囲部を見た時に導光レンズの周囲部が明るく光って見えるようにすることができる電球互換型ＬＥＤランプに関する。
【背景技術】
【０００３】
従来から、ランプケースに収容された基板に実装されたＬＥＤ光源（第１の発光素子）と、ＬＥＤ光源（第１の発光素子）に電流を供給するためにランプケースに形成された給電部と、ＬＥＤ光源（第１の発光素子）からの光を導光する導光レンズ（全反射レンズ）とを具備する電球互換型ＬＥＤランプが知られている。この種の電球互換型ＬＥＤランプの例としては、例えば特許文献１（特開２００７−２６５７２６号公報）に記載されたものがある。
【０００４】
特許文献１に記載された電球互換型ＬＥＤランプでは、導光レンズ（全反射レンズ）の中心軸線とＬＥＤ光源（第１の発光素子）の光軸とが概略一致するように、導光レンズ（全反射レンズ）がＬＥＤ光源（第１の発光素子）の光軸上に配置されている。更に、ＬＥＤ光源（第１の発光素子）の光軸と小さい角度をなしてＬＥＤ光源（第１の発光素子）から照射された光が入射する凸状の入射面（上面）と、ＬＥＤ光源（第１の発光素子）の光軸と大きい角度をなしてＬＥＤ光源（第１の発光素子）から照射された光が入射する概略円錐面状の入射面（側周面）と、概略円錐面状の入射面（側周面）からの光を全反射してＬＥＤ光源（第１の発光素子）の光軸に概略平行な光にする反射面（周壁）と、凸状の入射面（上面）からの光および反射面（周壁）からの光を透過させて出射する出射面（平面部、凸レンズ部）とが、導光レンズ（全反射レンズ）に形成されている。
【０００５】
また、特許文献１に記載された電球互換型ＬＥＤランプでは、導光レンズ（全反射レンズ）の周囲に拡散レンズが配置されている。更に、拡散レンズを透過せしめられた光が、電球互換型ＬＥＤランプの照射方向に照射される。
【先行技術文献】
【特許文献】
【０００６】
【特許文献１】特開２００７−２６５７２６号公報
【発明の概要】
【発明が解決しようとする課題】
【０００７】
ところで、特許文献１に記載された電球互換型ＬＥＤランプでは、拡散レンズを透過せしめられた光が電球互換型ＬＥＤランプの照射方向に照射されるようにするために、中央部に配置されたＬＥＤ光源（第１の発光素子）とは別個に設けられた周囲部（中央部以外）の複数のＬＥＤ光源（第２の発光素子群）が、拡散レンズに対向せしめられて配置されている。
【０００８】
つまり、特許文献１に記載された電球互換型ＬＥＤランプでは、電球互換型ＬＥＤランプの照射方向から拡散レンズを見た時に拡散レンズが明るく光って見えるようにすることができるものの、拡散レンズが明るく光って見えるようにするために、中央部のＬＥＤ光源（第１の発光素子）とは別個に周囲部（中央部以外）の複数のＬＥＤ光源（第２の発光素子群）を設けなければならない。そのため、特許文献１に記載された電球互換型ＬＥＤランプでは、電球互換型ＬＥＤランプ全体のコストが嵩んでしまう。
【０００９】
前記問題点に鑑み、本発明は、コストを削減しつつ、電球互換型ＬＥＤランプの照射方向から導光レンズの周囲部を見た時に導光レンズの周囲部が明るく光って見えるようにすることができる電球互換型ＬＥＤランプを提供することを目的とする。
【００１０】
詳細には、本発明は、特許文献１に記載された電球互換型ＬＥＤランプのように複数のＬＥＤ光源が設けられる場合よりもコストを削減しつつ、電球互換型ＬＥＤランプの照射方向から導光レンズの周囲部を見た時に導光レンズの周囲部が明るく光って見えるようにすることができる電球互換型ＬＥＤランプを提供することを目的とする。
【課題を解決するための手段】
【００１１】
請求項１に記載の発明によれば、ランプケース（４）に収容された基板（２）に実装されたＬＥＤ光源（１）と、ＬＥＤ光源（１）に電流を供給するためにランプケース（４）に形成された給電部（４ｂ）と、ＬＥＤ光源（１）からの光を導光する導光レンズ（８）とを具備し、
導光レンズ（８）の中心軸線（８’）とＬＥＤ光源（１）の光軸（１’）とが概略一致するように、導光レンズ（８）の中央部（８ａ）をＬＥＤ光源（１）の光軸（１’）上に配置し、
ＬＥＤ光源（１）の光軸（１’）と第１の角度（θ１）をなしてＬＥＤ光源（１）から照射された光（Ｌ１ａ）が入射する凸状の第１入射面（８ａ１）と、
ＬＥＤ光源（１）の光軸（１’）と第１の角度（θ１）より大きい第２の角度（θ２）をなしてＬＥＤ光源（１）から照射された光（Ｌ２ａ）が入射する概略円錐面状の第２入射面（８ａ２）と、
第２入射面（８ａ２）からの光（Ｌ２ａ’）を全反射してＬＥＤ光源（１）の光軸（１’）に概略平行な光（Ｌ２ｂ）にする反射面（８ａ３）と、
第１入射面（８ａ１）からの光（Ｌ１ｂ）および反射面（８ａ３）からの光（Ｌ２ｂ）の一部を透過させて出射する出射面（８ａ４）とを導光レンズ（８）の中央部（８ａ）に形成した電球互換型ＬＥＤランプ（１００）において、
第１入射面（８ａ１）からの光（Ｌ１ｂ）および反射面（８ａ３）からの光（Ｌ２ｂ）の一部を乱反射して、ＬＥＤ光源（１）の光軸（１’）から遠ざかりながら基板（２）の側に戻る光（Ｌ１ｄ，Ｌ２ｄ）にする概略ドット状のレンズカット（８ａ４ａ）を導光レンズ（８）の中央部（８ａ）の出射面（８ａ４）に形成し、
ＬＥＤ光源（１）の光軸（１’）から遠ざかりながら基板（２）の側に戻る光（Ｌ１ｅ，Ｌ２ｅ）を反射するためのリフレクタ（７）を、導光レンズ（８）の周囲部（８ｂ）と基板（２）との間に配置し、
リフレクタ（７）からの反射光（Ｌ１ｆ，Ｌ２ｆ）が、導光レンズ（８）の周囲部（８ｂ）を透過せしめられて、電球互換型ＬＥＤランプ（１００）の照射方向に照射されることを特徴とする電球互換型ＬＥＤランプ（１００）が提供される。
【００１２】
請求項２に記載の発明によれば、ＬＥＤ光源（１）の光軸（１’）から遠ざかりながら基板（２）の側に戻る光（Ｌ１ｅ，Ｌ２ｅ）を反射するための中央反射面（７ａ）と、
中央反射面（７ａ）よりも径方向の外側に配置された周囲反射面（７ｂ）とをリフレクタ（７）に設け、
リフレクタ（７）の中心軸線（７’）と第３の角度（θａ）をなす直線を、リフレクタ（７）の中心軸線（７’）を中心に回転させることにより得られる円錐面を基本とする曲面によって中央反射面（７ａ）を構成し、
リフレクタ（７）の中心軸線（７’）と第３の角度（θａ）より小さい第４の角度（θｂ）をなす直線を、リフレクタ（７）の中心軸線（７’）を中心に回転させることにより得られる円錐面を基本とする曲面によって周囲反射面（７ｂ）を構成し、
径方向の外側の肉厚（ｔｏ）が径方向の内側の肉厚（ｔｉ）よりも大きい環状のレンズカット（８ｂ１ａ）を導光レンズ（８）の周囲部（８ｂ）に形成したことを特徴とする請求項１に記載の電球互換型ＬＥＤランプ（１００）が提供される。
【００１３】
請求項３に記載の発明によれば、導光レンズ（８）の中心軸線（８’）とリフレクタ（７）の中心軸線（７’）とが概略一致するように、リフレクタ（７）を配置し、
リフレクタ（７）の中央反射面（７ａ）の外径（Ｄ７ａ）を、概略ドット状のレンズカット（８ａ４ａ）が形成された導光レンズ（８）の中央部（８ａ）の出射面（８ａ４）の直径（Ｄ８ａ４）よりも大きくし、
電球互換型ＬＥＤランプ（１００）の照射方向からリフレクタ（７）の中央反射面（７ａ）を見た時に、導光レンズ（８）の中央部（８ａ）の出射面（８ａ４）の概略ドット状のレンズカット（８ａ４ａ）がリフレクタ（７）の中央反射面（７ａ）に映って見えるように、リフレクタ（７）の中央反射面（７ａ）の傾斜を設定したことを特徴とする請求項２に記載の電球互換型ＬＥＤランプ（１００）が提供される。
【００１４】
請求項４に記載の発明によれば、底部（６ａ）と、側壁部（６ｂ）と、ランプケース（４）の本体部（４ａ）の係止溝（４ａ１）とスナップフィットによって係合する係止爪（６ｃ）とを有するホルダ（６）を具備し、
基板（２）の位置決め穴（２ｃ）と嵌合する位置決め突起（６ａ２ａ）をホルダ（６）の底部（６ａ）の裏側表面（６ａ２）に形成し、
導光レンズ（８）の周囲部（８ｂ）のフリンジ部（８ｂ３）の外周面（８ｂ３ａ）と嵌合する第１内周面（６ｂ１）をホルダ（６）の側壁部（６ｂ）に形成し、
導光レンズ（８）の周囲部（８ｂ）のフリンジ部（８ｂ３）の外周面（８ｂ３ａ）に形成された係止突起（８ｂ３ａ１）とスナップフィットによって係合する係合穴（６ｂ１ａ）をホルダ（６）の側壁部（６ｂ）の第１内周面（６ｂ１）に形成し、
リフレクタ（７）のフリンジ部（７ｄ）の裏側表面（７ｄ２）に当接する当接部（６ｂ２）をホルダ（６）の側壁部（６ｂ）に形成し、
リフレクタ（７）のフリンジ部（７ｄ）の外周面（７ｄ１）と嵌合する第２内周面（６ｂ３）をホルダ（６）の側壁部（６ｂ）に形成したことを特徴とする請求項１〜３のいずれか一項に記載の電球互換型ＬＥＤランプ（１００）が提供される。
【００１５】
請求項５に記載の発明によれば、ランプケース（４）の給電部（４ｂ）に供給された交流電流を直流電流に変換してＬＥＤ光源（１）に供給するための電源ユニット（５）をランプケース（４）の本体部（４ａ）内に収容し、
ランプケース（４）の本体部（４ａ）内に熱伝導性樹脂を充填し、
熱伝導性樹脂によって基板（２）の裏側表面（２ｂ）とランプケース（４）の本体部（４ａ）とを熱的に接続すると共に、熱伝導性樹脂によって電源ユニット（５）とランプケース（４）の本体部（４ａ）とを熱的に接続したことを特徴とする請求項４に記載の電球互換型ＬＥＤランプ（１００）が提供される。
【発明の効果】
【００１６】
請求項１に記載の電球互換型ＬＥＤランプ（１００）では、ランプケース（４）に収容された基板（２）に実装されたＬＥＤ光源（１）と、ＬＥＤ光源（１）に電流を供給するためにランプケース（４）に形成された給電部（４ｂ）と、ＬＥＤ光源（１）からの光を導光する導光レンズ（８）とが設けられている。また、導光レンズ（８）の中心軸線（８’）とＬＥＤ光源（１）の光軸（１’）とが概略一致するように、導光レンズ（８）の中央部（８ａ）がＬＥＤ光源（１）の光軸（１’）上に配置されている。
【００１７】
更に、請求項１に記載の電球互換型ＬＥＤランプ（１００）では、ＬＥＤ光源（１）の光軸（１’）と第１の角度（θ１）をなしてＬＥＤ光源（１）から照射された光（Ｌ１ａ）が入射する凸状の第１入射面（８ａ１）と、ＬＥＤ光源（１）の光軸（１’）と第１の角度（θ１）より大きい第２の角度（θ２）をなしてＬＥＤ光源（１）から照射された光（Ｌ２ａ）が入射する概略円錐面状の第２入射面（８ａ２）と、第２入射面（８ａ２）からの光（Ｌ２ａ’）を全反射してＬＥＤ光源（１）の光軸（１’）に概略平行な光（Ｌ２ｂ）にする反射面（８ａ３）と、第１入射面（８ａ１）からの光（Ｌ１ｂ）および反射面（８ａ３）からの光（Ｌ２ｂ）の一部を透過させて出射する出射面（８ａ４）とが、導光レンズ（８）の中央部（８ａ）に形成されている。
【００１８】
そのため、請求項１に記載の電球互換型ＬＥＤランプ（１００）によれば、導光レンズ（８）の中央部（８ａ）の出射面（８ａ４）を透過せしめられた光（Ｌ１ｃ，Ｌ２ｃ）によって所望の配光パターンを形成することができる。
【００１９】
詳細には、請求項１に記載の電球互換型ＬＥＤランプ（１００）では、第１入射面（８ａ１）からの光（Ｌ１ｂ）および反射面（８ａ３）からの光（Ｌ２ｂ）の一部を乱反射して、ＬＥＤ光源（１）の光軸（１’）から遠ざかりながら基板（２）の側に戻る光（Ｌ１ｄ，Ｌ２ｄ）にする概略ドット状のレンズカット（８ａ４ａ）が、導光レンズ（８）の中央部（８ａ）の出射面（８ａ４）に形成されている。更に、ＬＥＤ光源（１）の光軸（１’）から遠ざかりながら基板（２）の側に戻る光（Ｌ１ｅ，Ｌ２ｅ）を反射するためのリフレクタ（７）が、導光レンズ（８）の周囲部（８ｂ）と基板（２）との間に配置されている。
【００２０】
その結果、請求項１に記載の電球互換型ＬＥＤランプ（１００）では、リフレクタ（７）からの反射光（Ｌ１ｆ，Ｌ２ｆ）が、導光レンズ（８）の周囲部（８ｂ）を透過せしめられて、電球互換型ＬＥＤランプ（１００）の照射方向に照射される。
【００２１】
つまり、請求項１に記載の電球互換型ＬＥＤランプ（１００）では、電球互換型ＬＥＤランプ（１００）の照射方向から導光レンズ（８）の周囲部（８ｂ）を見た時に、導光レンズ（８）の周囲部（８ｂ）を透過せしめられた光（Ｌ１ｈ，Ｌ２ｈ）によって、導光レンズ（８）の周囲部（８ｂ）が明るく光って見える。
【００２２】
そのため、請求項１に記載の電球互換型ＬＥＤランプ（１００）によれば、特許文献１に記載された電球互換型ＬＥＤランプのように複数のＬＥＤ光源を設けることなく、導光レンズ（８）の中心軸線（８’）上に配置されたＬＥＤ光源（１）のみによって、電球互換型ＬＥＤランプ（１００）の照射方向から導光レンズ（８）の周囲部（８ｂ）を見た時に導光レンズ（８）の周囲部（８ｂ）が明るく光って見えるようにすることができる。
【００２３】
換言すれば、請求項１に記載の電球互換型ＬＥＤランプ（１００）によれば、特許文献１に記載された電球互換型ＬＥＤランプのように複数のＬＥＤ光源が設けられる場合よりもコストを削減しつつ、電球互換型ＬＥＤランプ（１００）の照射方向から導光レンズ（８）の周囲部（８ｂ）を見た時に導光レンズ（８）の周囲部（８ｂ）が明るく光って見えるようにすることができる。
【００２４】
請求項２に記載の電球互換型ＬＥＤランプ（１００）では、ＬＥＤ光源（１）の光軸（１’）から遠ざかりながら基板（２）の側に戻る光（Ｌ１ｅ，Ｌ２ｅ）を反射するための中央反射面（７ａ）とは別個に、中央反射面（７ａ）よりも径方向の外側に配置された周囲反射面（７ｂ）が、リフレクタ（７）に設けられている。
【００２５】
詳細には、請求項２に記載の電球互換型ＬＥＤランプ（１００）では、リフレクタ（７）の中心軸線（７’）と第３の角度（θａ）をなす直線を、リフレクタ（７）の中心軸線（７’）を中心に回転させることにより得られる円錐面を基本とする曲面によって中央反射面（７ａ）が構成されているのに対し、リフレクタ（７）の中心軸線（７’）と第３の角度（θａ）より小さい第４の角度（θｂ）をなす直線を、リフレクタ（７）の中心軸線（７’）を中心に回転させることにより得られる円錐面を基本とする曲面によって周囲反射面（７ｂ）が構成されている。
【００２６】
つまり、請求項２に記載の電球互換型ＬＥＤランプ（１００）では、中央反射面（７ａ）の傾きよりも、周囲反射面（７ｂ）の傾きが大きくなっている。
そのため、請求項２に記載の電球互換型ＬＥＤランプ（１００）では、電球互換型ＬＥＤランプ（１００）の照射方向から電球互換型ＬＥＤランプ（１００）を見た時に、周囲反射面（７ｂ）の傾きによってリフレクタ（７）の奥行き感を感じさせることができる。
【００２７】
更に、請求項２に記載の電球互換型ＬＥＤランプ（１００）では、径方向の外側の肉厚（ｔｏ）が径方向の内側の肉厚（ｔｉ）よりも大きい環状のレンズカット（８ｂ１ａ）が、導光レンズ（８）の周囲部（８ｂ）に形成されている。
【００２８】
そのため、請求項２に記載の電球互換型ＬＥＤランプ（１００）によれば、径方向の外側の肉厚（ｔｏ）が径方向の内側の肉厚（ｔｉ）よりも大きい環状のレンズカット（８ｂ１ａ）を透過する光（Ｌｅ２）の屈折作用によって、そのレンズカット（８ｂ１ａ）が形成されていない場合よりも、リフレクタ（７）の奥行き感を増加させることができる。
【００２９】
請求項３に記載の電球互換型ＬＥＤランプ（１００）では、導光レンズ（８）の中心軸線（８’）とリフレクタ（７）の中心軸線（７’）とが概略一致するように、リフレクタ（７）が配置されている。また、リフレクタ（７）の中央反射面（７ａ）の外径（Ｄ７ａ）が、概略ドット状のレンズカット（８ａ４ａ）が形成された導光レンズ（８）の中央部（８ａ）の出射面（８ａ４）の直径（Ｄ８ａ４）よりも大きくされている。更に、電球互換型ＬＥＤランプ（１００）の照射方向からリフレクタ（７）の中央反射面（７ａ）を見た時に、導光レンズ（８）の中央部（８ａ）の出射面（８ａ４）の概略ドット状のレンズカット（８ａ４ａ）がリフレクタ（７）の中央反射面（７ａ）に映って見えるように、リフレクタ（７）の中央反射面（７ａ）の傾斜が設定されている。
【００３０】
そのため、請求項３に記載の電球互換型ＬＥＤランプ（１００）によれば、電球互換型ＬＥＤランプ（１００）の照射方向からリフレクタ（７）の中央反射面（７ａ）を見た時に、あたかも概略ドット状の加工がリフレクタ（７）の中央反射面（７ａ）に施されているかのように見えるようにすることができる。
【００３１】
請求項４に記載の電球互換型ＬＥＤランプ（１００）では、底部（６ａ）と、側壁部（６ｂ）と、ランプケース（４）の本体部（４ａ）の係止溝（４ａ１）とスナップフィットによって係合する係止爪（６ｃ）とを有するホルダ（６）が設けられている。
【００３２】
詳細には、請求項４に記載の電球互換型ＬＥＤランプ（１００）では、基板（２）の位置決め穴（２ｃ）と嵌合する位置決め突起（６ａ２ａ）が、ホルダ（６）の底部（６ａ）の裏側表面（６ａ２）に形成されている。更に、導光レンズ（８）の周囲部（８ｂ）のフリンジ部（８ｂ３）の外周面（８ｂ３ａ）と嵌合する第１内周面（６ｂ１）が、ホルダ（６）の側壁部（６ｂ）に形成されている。また、導光レンズ（８）の周囲部（８ｂ）のフリンジ部（８ｂ３）の外周面（８ｂ３ａ）に形成された係止突起（８ｂ３ａ１）とスナップフィットによって係合する係合穴（６ｂ１ａ）が、ホルダ（６）の側壁部（６ｂ）の第１内周面（６ｂ１）に形成されている。
【００３３】
更に、請求項４に記載の電球互換型ＬＥＤランプ（１００）では、リフレクタ（７）のフリンジ部（７ｄ）の裏側表面（７ｄ２）に当接する当接部（６ｂ２）が、ホルダ（６）の側壁部（６ｂ）に形成されている。また、リフレクタ（７）のフリンジ部（７ｄ）の外周面（７ｄ１）と嵌合する第２内周面（６ｂ３）が、ホルダ（６）の側壁部（６ｂ）に形成されている。
【００３４】
換言すれば、請求項４に記載の電球互換型ＬＥＤランプ（１００）では、光学的な機能部品であるＬＥＤ光源（１）が実装された基板（２）と、導光レンズ（８）と、リフレクタ（７）とが、ランプケース（４）の本体部（４ａ）に直接取り付けられて相対的に位置決めされるのではなく、ランプケース（４）よりも寸法公差を小さい値に設定することが可能なホルダ（６）に取り付けられて相対的に位置決めされる。
【００３５】
そのため、請求項４に記載の電球互換型ＬＥＤランプ（１００）によれば、基板（２）と導光レンズ（８）とリフレクタ（７）とがランプケース（４）の本体部（４ａ）に直接取り付けられて相対的に位置決めされる場合よりも、基板（２）と導光レンズ（８）とリフレクタ（７）との間の相対的な位置決め精度を向上させることができる。
【００３６】
請求項５に記載の電球互換型ＬＥＤランプ（１００）では、ランプケース（４）の給電部（４ｂ）に供給された交流電流を直流電流に変換してＬＥＤ光源（１）に供給するための電源ユニット（５）が、ランプケース（４）の本体部（４ａ）内に収容されている。また、ランプケース（４）の本体部（４ａ）内に熱伝導性樹脂が充填されている。
【００３７】
詳細には、請求項５に記載の電球互換型ＬＥＤランプ（１００）では、熱伝導性樹脂によって基板（２）の裏側表面（２ｂ）とランプケース（４）の本体部（４ａ）とが熱的に接続されると共に、熱伝導性樹脂によって電源ユニット（５）とランプケース（４）の本体部（４ａ）とが熱的に接続されている。
【００３８】
そのため、請求項５に記載の電球互換型ＬＥＤランプ（１００）によれば、基板（２）の裏側表面（２ｂ）とランプケース（４）の本体部（４ａ）とを熱的に接続する手段と、電源ユニット（５）とランプケース（４）の本体部（４ａ）とを熱的に接続する手段とが別個に設けられている場合よりも、電球互換型ＬＥＤランプ（１００）全体のコストを削減することができる。
【図面の簡単な説明】
【００３９】
【図１】第１の実施形態の電球互換型ＬＥＤランプ１００の全体構成図である。
【図２】第１の実施形態の電球互換型ＬＥＤランプ１００の一部を構成するＬＥＤ光源１および基板２の組立体を示した図である。
【図３】第１の実施形態の電球互換型ＬＥＤランプ１００の一部を構成するランプケース４を示した図である。
【図４】第１の実施形態の電球互換型ＬＥＤランプ１００の一部を構成するホルダ６を示した図である。
【図５】第１の実施形態の電球互換型ＬＥＤランプ１００の一部を構成するホルダ６を示した図である。
【図６】第１の実施形態の電球互換型ＬＥＤランプ１００の一部を構成するホルダ６を示した図である。
【図７】第１の実施形態の電球互換型ＬＥＤランプ１００の一部を構成するリフレクタ７を示した図である。
【図８】第１の実施形態の電球互換型ＬＥＤランプ１００の一部を構成する導光レンズ８を示した図である。
【図９】第１の実施形態の電球互換型ＬＥＤランプ１００の特徴を説明するための図である。
【図１０】第１の実施形態の電球互換型ＬＥＤランプ１００の特徴を説明するための図である。
【図１１】第１の実施形態の電球互換型ＬＥＤランプ１００の特徴を説明するための図である。
【図１２】第１の実施形態の電球互換型ＬＥＤランプ１００の特徴を説明するための図である。
【発明を実施するための形態】
【００４０】
図１は第１の実施形態の電球互換型ＬＥＤランプ１００の全体構成図である。詳細には、図１（Ａ）は第１の実施形態の電球互換型ＬＥＤランプ１００の平面図、図１（Ｂ）は第１の実施形態の電球互換型ＬＥＤランプ１００の正面図、図１（Ｃ）は第１の実施形態の電球互換型ＬＥＤランプ１００の部分断面正面図である。図２は第１の実施形態の電球互換型ＬＥＤランプ１００の一部を構成するＬＥＤ光源１および基板２の組立体を示した図である。詳細には、図２（Ａ）はＬＥＤ光源１および基板２の組立体の平面図、図２（Ｂ）は図２（Ａ）のＡ−Ａ線に沿った概略的な断面図である。図３は第１の実施形態の電球互換型ＬＥＤランプ１００の一部を構成するランプケース４を示した図である。詳細には、図３（Ａ）はランプケース４の平面図、図３（Ｂ）はランプケース４の正面図、図３（Ｃ）は図３（Ａ）のＢ−Ｂ線に沿った概略的な断面図である。
【００４１】
図４〜図６は第１の実施形態の電球互換型ＬＥＤランプ１００の一部を構成するホルダ６を示した図である。詳細には、図４（Ａ）はホルダ６の左側面図、図４（Ｂ）はホルダ６の平面図、図４（Ｃ）はホルダ６の正面図、図５（Ａ）は図４（Ｂ）のＣ−Ｃ線に沿った概略的な断面図、図５（Ｂ）はホルダ６の右側面図、図５（Ｃ）は図５（Ａ）のＤ部の拡大詳細図、図６（Ａ）は図６（Ｃ）のＧ部の拡大詳細図、図６（Ｂ）はホルダ６の底面図、図６（Ｃ）は図４（Ｂ）のＦ−Ｆ線に沿った概略的な断面図、図６（Ｄ）は図４（Ｂ）のＥ−Ｅ線に沿った概略的な断面図である。図７は第１の実施形態の電球互換型ＬＥＤランプ１００の一部を構成するリフレクタ７を示した図である。詳細には、図７（Ａ）はリフレクタ７の平面図、図７（Ｂ）は図７（Ａ）のＨ−Ｈ線に沿った概略的な断面図、図７（Ｃ）はリフレクタ７の正面図、図７（Ｄ）は図７（Ａ）のＩ−Ｉ線に沿った概略的な断面図、図７（Ｅ）はリフレクタ７の底面図である。図８は第１の実施形態の電球互換型ＬＥＤランプ１００の一部を構成する導光レンズ８を示した図である。詳細には、図８（Ａ）は導光レンズ８の平面図、図８（Ｂ）は図８（Ａ）のＪ−Ｊ線に沿った概略的な断面図、図８（Ｃ）は導光レンズ８の正面図、図８（Ｄ）は導光レンズ８の底面図である。
【００４２】
第１の実施形態の電球互換型ＬＥＤランプ１００では、例えばＬＥＤパッケージなどのようなＬＥＤ光源１（図１（Ｃ）、図２（Ａ）および図２（Ｂ）参照）が基板２（図１（Ｃ）、図２（Ａ）および図２（Ｂ）参照）の表側表面２ａ（図２（Ａ）および図２（Ｂ）参照）に実装されている。更に、基板２の表側表面２ａと裏側表面２ｂ（図２（Ｂ）参照）とを貫通する位置決め穴２ｃ（図２（Ａ））と、例えば樹脂材料の成形によって形成されたホルダ６（図１（Ａ）、図１（Ｃ）および図４〜図６参照）の底部６ａ（図４〜図６参照）の裏側表面６ａ２（図４（Ａ）、図４（Ｃ）、図５（Ａ）、図５（Ｂ）、図６（Ａ）、図６（Ｂ）、図６（Ｃ）および図６（Ｄ）参照）に形成された位置決め突起６ａ２ａ（図４（Ａ）、図５（Ｂ）および図６（Ｂ）参照）とが嵌合せしめられている。詳細には、ＬＥＤ光源１がホルダ６の底部６ａの開口６ａ１（図４（Ｂ）および図６（Ｂ）参照）内に配置され、ＬＥＤ光源１の光軸１’（図２（Ｂ）参照）とホルダ６の中心軸線６’（図４（Ｃ）、図５（Ａ）、図６（Ｂ）および図６（Ｃ）参照）とが概略一致するように、基板２とホルダ６とが例えば熱かしめによって接合されている。
【００４３】
更に、第１の実施形態の電球互換型ＬＥＤランプ１００では、リフレクタ７（図１（Ｃ）および図７参照）がホルダ６（図１（Ａ）、図１（Ｃ）および図４〜図６参照）内に収容されている。詳細には、リフレクタ７のフリンジ部７ｄ（図７（Ａ）、図７（Ｂ）および図７（Ｄ）参照）の外周面７ｄ１（図７（Ｃ）、図７（Ｄ）および図７（Ｅ）参照）と、ホルダ６の側壁部６ｂ（図４〜図６参照）の内周面６ｂ３（図５（Ｃ）および図６（Ａ）参照）とが嵌合せしめられると共に、リフレクタ７のフリンジ部７ｄの裏側表面７ｄ２（図７（Ｂ）、図７（Ｄ）および図７（Ｅ）参照）と、ホルダ６の側壁部６ｂの当接部６ｂ２（図４（Ｂ）および図６（Ａ）参照）とが当接せしめられている。その結果、ＬＥＤ光源１（図１（Ｃ）、図２（Ａ）および図２（Ｂ）参照）がリフレクタ７の開口７ｅ（図７（Ａ）、図７（Ｂ）、図７（Ｄ）および図７（Ｅ）参照）内に配置され、ＬＥＤ光源１の光軸１’（図２（Ｂ）参照）とリフレクタ７の中心軸線７’（図７（Ａ）、図７（Ｂ）、図７（Ｄ）および図７（Ｅ）参照）とが概略一致せしめられている。
【００４４】
また、第１の実施形態の電球互換型ＬＥＤランプ１００では、導光レンズ８（図１（Ａ）、図１（Ｃ）および図８参照）がホルダ６（図１（Ａ）、図１（Ｃ）および図４〜図６参照）内に収容されている。詳細には、導光レンズ８の周囲部８ｂ（図８（Ｂ）参照）のフリンジ部８ｂ３（図８（Ｂ）参照）の外周面８ｂ３ａ（図８（Ｂ）および図８（Ｃ）参照）と、ホルダ６の側壁部６ｂ（図４〜図６参照）の内周面６ｂ１（図５（Ｃ）および図６（Ａ）参照）とが嵌合せしめられると共に、導光レンズ８の周囲部８ｂのフリンジ部８ｂ３の外周面８ｂ３ａに形成された係止突起８ｂ３ａ１（図８参照）と、ホルダ６の側壁部６ｂの内周面６ｂ１に形成された係合穴６ｂ１ａ（図４（Ｂ）および図６（Ａ）参照）とが、スナップフィットによって係合せしめられている。その結果、リフレクタ７（図１（Ｃ）および図７参照）のフリンジ部７ｄ（図７（Ａ）、図７（Ｂ）および図７（Ｄ）参照）の表側表面７ｄ３（図７（Ａ）、図７（Ｂ）および図７（Ｄ）参照）と、導光レンズ８の周囲部８ｂのフリンジ部８ｂ３の裏側表面８ｂ３ｂ（図８（Ｂ）および図８（Ｄ）参照）とが当接せしめられている。更に、ＬＥＤ光源１（図１（Ｃ）、図２（Ａ）および図２（Ｂ）参照）の光軸１’（図２（Ｂ）参照）と導光レンズ８の中心軸線８’（図８（Ｂ）および図８（Ｄ）参照）とが概略一致せしめられている。
【００４５】
更に、第１の実施形態の電球互換型ＬＥＤランプ１００では、交流電流を直流電流に変換するための電源ユニット５（図１（Ｃ）参照）が、ランプケース４（図１および図３参照）の本体部４ａ（図１（Ｂ）および図３参照）内に収容されている。また、外部のソケット（図示せず）から交流電流が供給されるランプケース４の給電部４ｂ（図１（Ｂ）、図３（Ｂ）および図３（Ｃ）参照）と、電源ユニット５とが配線部材（図示せず）によって電気的に接続されている。
【００４６】
第１の実施形態の電球互換型ＬＥＤランプ１００では、例えばセラミックなどのような電気絶縁性を有し、かつ、熱伝導性を有する材料によって、ランプケース４（図１および図３参照）の本体部４ａ（図１（Ｂ）および図３参照）が形成されている。第２の実施形態の電球互換型ＬＥＤランプ１００では、代わりに、電気伝導性および熱伝導性を有する金属材料によってランプケース４の本体部４ａを形成し、ランプケース４の本体部４ａと給電部４ｂとの間に電気絶縁部材を配置することも可能である。
【００４７】
また、第１の実施形態の電球互換型ＬＥＤランプ１００では、ランプケース４（図１および図３参照）の給電部４ｂ（図１（Ｂ）、図３（Ｂ）および図３（Ｃ）参照）として口金型の給電部が用いられているが、第３の実施形態の電球互換型ＬＥＤランプ１００では、代わりに、例えば特許文献１に記載された電球互換型ＬＥＤランプの給電部と同様の型式の給電部をランプケース４の給電部４ｂとして用いたり、例えばウエッジベース型の給電部をランプケース４の給電部４ｂとして用いたりすることも可能である。
【００４８】
更に、第１の実施形態の電球互換型ＬＥＤランプ１００では、ＬＥＤ光源１（図１（Ｃ）、図２（Ａ）および図２（Ｂ）参照）と、基板２（図１（Ｃ）、図２（Ａ）および図２（Ｂ）参照）と、ホルダ６（図１（Ａ）、図１（Ｃ）および図４〜図６参照）と、リフレクタ７（図１（Ｃ）および図７参照）と、導光レンズ８（図１（Ａ）、図１（Ｃ）および図８参照）とからなる組立体が、ランプケース４（図１および図３参照）の本体部４ａ（図１（Ｂ）および図３参照）内に収容されている。詳細には、ランプケース４の本体部４ａの係止溝４ａ１（図３（Ａ）および図３（Ｃ）参照）と、ホルダ６の係止爪６ｃ（図４（Ａ）、図４（Ｃ）、図５（Ｂ）および図６（Ｂ）参照）とがスナップフィットによって係合せしめられている。その結果、ＬＥＤ光源１の光軸１’（図２（Ｂ）参照）とランプケース４の中心軸線４’（図３（Ａ）および図３（Ｃ）参照）とが概略一致せしめられ、ＬＥＤ光源１の光軸１’と第１の実施形態の電球互換型ＬＥＤランプ１００の中心軸線１００’（図１（Ａ）および図１（Ｃ）参照）とが概略一致せしめられている。
【００４９】
また、第１の実施形態の電球互換型ＬＥＤランプ１００では、電源ユニット５（図１（Ｃ）参照）とＬＥＤ光源１（図１（Ｃ）、図２（Ａ）および図２（Ｂ）参照）とが配線部材（図示せず）によって電気的に接続され、ＬＥＤ光源１に直流電流が供給されている。
【００５０】
図９〜図１２は第１の実施形態の電球互換型ＬＥＤランプ１００の特徴を説明するための図である。詳細には、図９〜図１２は図１（Ｃ）に示す断面の要部を拡大して示した図である。
【００５１】
第１の実施形態の電球互換型ＬＥＤランプ１００では、図９（Ａ）および図９（Ｂ）に示すように、導光レンズ８（図１（Ａ）、図１（Ｃ）および図８参照）の中心軸線８’（図８（Ｂ）および図８（Ｄ）参照）とＬＥＤ光源１（図１（Ｃ）および図２参照）の光軸１’（図２（Ｂ）参照）とが概略一致するように、導光レンズ８の中央部８ａ（図８（Ｂ）参照）がＬＥＤ光源１の光軸１’上に配置されている。
【００５２】
更に、第１の実施形態の電球互換型ＬＥＤランプ１００では、図９（Ａ）および図９（Ｂ）に示すように、ＬＥＤ光源１の光軸１’と小さい角度θ１（図９（Ａ）参照）をなしてＬＥＤ光源１から照射された光Ｌ１ａ（図９（Ａ）参照）が入射する凸状の入射面８ａ１（図８（Ｂ）および図８（Ｄ）参照）と、ＬＥＤ光源１の光軸１’と大きい角度θ２（図９（Ｂ）参照）をなしてＬＥＤ光源１から照射された光Ｌ２ａ（図９（Ｂ）参照）が入射する概略円錐面状の入射面８ａ２（図８（Ｂ）および図８（Ｄ）参照）と、入射面８ａ２からの光Ｌ２ａ’（図９（Ｂ）参照）を全反射してＬＥＤ光源１の光軸１’に概略平行な光Ｌ２ｂ（図９（Ｂ）参照）にする反射面８ａ３（図８（Ｂ）、図８（Ｃ）および図８（Ｄ）参照）と、入射面８ａ１からの光Ｌ１ｂ（図９（Ａ）参照）および反射面８ａ３からの光Ｌ２ｂ（図９（Ｂ）参照）の一部を透過させて透過光Ｌ１ｃ，Ｌ２ｃ（図９（Ａ）および図９（Ｂ）参照）を出射する出射面８ａ４（図８（Ａ）、図８（Ｂ）および図８（Ｃ）参照）とが、導光レンズ８の中央部８ａ（図８（Ｂ）参照）に形成されている。
【００５３】
そのため、第１の実施形態の電球互換型ＬＥＤランプ１００によれば、図９（Ａ）および図９（Ｂ）に示すように、導光レンズ８の中央部８ａの出射面８ａ４を透過せしめられた光Ｌ１ｃ，Ｌ２ｃによって所望の配光パターンを形成することができる。
【００５４】
詳細には、第１の実施形態の電球互換型ＬＥＤランプ１００では、図１０（Ａ）および図１０（Ｂ）に示すように、入射面８ａ１からの光Ｌ１ｂ（図１０（Ａ）参照）および反射面８ａ３からの光Ｌ２ｂ（図１０（Ｂ）参照）の一部を乱反射して、ＬＥＤ光源１の光軸１’から遠ざかりながら（つまり、図１０（Ａ）および図１０（Ｂ）の左側に進みながら）基板２の側（図１０（Ａ）および図１０（Ｂ）の下側）に戻る光Ｌ１ｄ，Ｌ２ｄ（図１０（Ａ）および図１０（Ｂ）参照）にする概略ドット状のレンズカット８ａ４ａ（図８（Ａ）、図８（Ｂ）および図８（Ｃ）参照）が、導光レンズ８の中央部８ａ（図８（Ｂ）参照）の出射面８ａ４（図８（Ａ）、図８（Ｂ）および図８（Ｃ）参照）に形成されている。更に、図１０（Ａ）および図１０（Ｂ）に示すように、ＬＥＤ光源１の光軸１’から遠ざかりながら基板２の側に戻る光Ｌ１ｅ，Ｌ２ｅ（図１０（Ａ）および図１０（Ｂ）参照）を反射するためのリフレクタ７の中央反射面７ａ（図７（Ａ）、図７（Ｂ）および図７（Ｄ）参照）が、導光レンズ８の周囲部８ｂ（図８（Ｂ）参照）と基板２との間に配置されている。
【００５５】
その結果、第１の実施形態の電球互換型ＬＥＤランプ１００では、図１０（Ａ）および図１０（Ｂ）に示すように、リフレクタ７の中央反射面７ａ（図７（Ａ）、図７（Ｂ）および図７（Ｄ）参照）からの反射光Ｌ１ｆ，Ｌ２ｆ（図１０（Ａ）および図１０（Ｂ）参照）が、導光レンズ８の周囲部８ｂ（図８（Ｂ）参照）の入射面８ｂ１（図８（Ｂ）および図８（Ｄ）参照）を透過せしめられて透過光Ｌ１ｇ，Ｌ２ｇ（図１０（Ａ）および図１０（Ｂ）参照）になり、次いで、出射面８ｂ２（図８（Ａ）および図８（Ｂ）参照）を透過せしめられて透過光Ｌ１ｈ，Ｌ２ｈ（図１０（Ａ）および図１０（Ｂ）参照）になり、電球互換型ＬＥＤランプ１００の照射方向（図１０（Ａ）および図１０（Ｂ）の上側）に照射される。
【００５６】
つまり、第１の実施形態の電球互換型ＬＥＤランプ１００では、図１０（Ａ）および図１０（Ｂ）に示すように、電球互換型ＬＥＤランプ１００の照射方向（図１０（Ａ）および図１０（Ｂ）の上側）から導光レンズ８の周囲部８ｂ（図８（Ｂ）参照）を見た時に、導光レンズ８の周囲部８ｂを透過せしめられた光Ｌ１ｈ，Ｌ２ｈによって、導光レンズ８の周囲部８ｂが明るく光って見える。
【００５７】
そのため、第１の実施形態の電球互換型ＬＥＤランプ１００によれば、特許文献１に記載された電球互換型ＬＥＤランプのように周囲部の複数のＬＥＤ光源を設けることなく、導光レンズ８（図１（Ａ）、図１（Ｃ）および図８参照）の中心軸線８’（図８（Ｂ）および図８（Ｄ）参照）上に配置されたＬＥＤ光源１（図１（Ｃ）および図２参照）のみによって、電球互換型ＬＥＤランプ１００の照射方向（図１０（Ａ）および図１０（Ｂ）の上側）から導光レンズ８の周囲部８ｂ（図８（Ｂ）参照）を見た時に導光レンズ８の周囲部８ｂが明るく光って見えるようにすることができる。つまり、第１の実施形態の電球互換型ＬＥＤランプ１００によれば、中央部のみに配置されたＬＥＤ光源１（図１（Ｃ）および図２参照）によって、電球互換型ＬＥＤランプ１００の照射方向（図９（Ａ）、図９（Ｂ）、図１０（Ａ）および図１０（Ｂ）の上側）から導光レンズ８の中央部８ａ（図８（Ｂ）参照）および周囲部８ｂ（図８（Ｂ）参照）を見た時に、導光レンズ８の中央部８ａが明るく光って見えると共に、導光レンズ８の周囲部８ｂが明るく光って見えることにより、導光レンズ８が全体的に明るく光って見えるようにすることができる。
【００５８】
更に、第１の実施形態の電球互換型ＬＥＤランプ１００では、ＬＥＤ光源１（図１（Ｃ）および図２参照）の光軸１’（図２（Ｂ）および図１０参照）から遠ざかりながら（つまり、図１０（Ａ）および図１０（Ｂ）の左側に進みながら）基板２（図１（Ｃ）および図２参照）の側（図１０（Ａ）および図１０（Ｂ）の下側）に戻る光Ｌ１ｅ，Ｌ２ｅ（図１０（Ａ）および図１０（Ｂ）参照）を反射するための中央反射面７ａ（図７（Ａ）、図７（Ｂ）および図７（Ｄ）参照）とは別個に、中央反射面７ａよりも径方向の外側に配置された周囲反射面７ｂ（図７（Ａ）、図７（Ｂ）および図７（Ｄ）参照）が、リフレクタ７（図１（Ｃ）および図７参照）に設けられている。
【００５９】
詳細には、第１の実施形態の電球互換型ＬＥＤランプ１００では、図７（Ｄ）に示すように、リフレクタ７の中心軸線７’と角度θａ（図７（Ｄ）および図１１（Ａ）参照）をなす直線を、リフレクタ７の中心軸線７’を中心に回転させることにより得られる円錐面を基本とする曲面によって中央反射面７ａが構成されているのに対し、リフレクタ７の中心軸線７’と角度θａより小さい角度θｂ（図７（Ｄ）および図１１（Ａ）参照）をなす直線を、リフレクタ７の中心軸線７’を中心に回転させることにより得られる円錐面を基本とする曲面によって周囲反射面７ｂが構成されている。つまり、第１の実施形態の電球互換型ＬＥＤランプ１００では、中央反射面７ａの傾きよりも、周囲反射面７ｂの傾きが大きくなっている。
【００６０】
そのため、第１の実施形態の電球互換型ＬＥＤランプ１００では、電球互換型ＬＥＤランプ１００の照射方向（図１１（Ａ）および図１１（Ｂ）の上側）から電球互換型ＬＥＤランプ１００を見た時に、周囲反射面７ｂ（図１１（Ａ）および図１１（Ｂ）参照）の傾きによってリフレクタ７（図１１（Ａ）および図１１（Ｂ）参照）の奥行き感を感じさせることができる。
【００６１】
更に、第１の実施形態の電球互換型ＬＥＤランプ１００では、図１１（Ａ）に示すように、径方向の外側の肉厚ｔｏが径方向の内側の肉厚ｔｉよりも大きい環状のレンズカット８ｂ１ａ（図８（Ｄ）参照）が、導光レンズ８（図８参照）の周囲部８ｂ（図８（Ｂ）参照）に同心円状に形成されている。
【００６２】
仮にレンズカット８ｂ１ａ（図１１（Ｂ）参照）が形成されていない場合には、図１１（Ｂ）に示すように、入射光Ｌｅ１が導光レンズ８の周囲部８ｂの出射面８ｂ２によって屈折せしめられて透過光Ｌｅ２になり、次いで、透過光Ｌｅ２が導光レンズ８の周囲部８ｂの入射面８ｂ１によって屈折せしめられて透過光Ｌｅ３’になり、リフレクタ７の周囲反射面７ｂ上の位置Ｑに到達する。一方、第１の実施形態の電球互換型ＬＥＤランプ１００では、図１１（Ｂ）に示すように、環状のレンズカット８ｂ１ａが導光レンズ８の周囲部８ｂの入射面８ｂ１に形成されているため、入射光Ｌｅ１が導光レンズ８の周囲部８ｂの出射面８ｂ２によって屈折せしめられて透過光Ｌｅ２になり、次いで、透過光Ｌｅ２が導光レンズ８の周囲部８ｂの入射面８ｂ１のレンズカット８ｂ１ａによって屈折せしめられて透過光Ｌｅ３になり、リフレクタ７の周囲反射面７ｂ上の位置Ｐに到達する。
【００６３】
すなわち、電球互換型ＬＥＤランプ１００の照射方向（図１１（Ｂ）の上側）から第１の実施形態の電球互換型ＬＥＤランプ１００を見た時に、レンズカット８ｂ１ａを透過する光Ｌｅ２の屈折作用によって、あたかも、リフレクタ７の周囲反射面７ｂ上の位置Ｐが、リフレクタ７の周囲反射面７ｂ上の位置Ｑに存在しているかのように見える（錯覚を受ける）。
【００６４】
そのため、第１の実施形態の電球互換型ＬＥＤランプ１００によれば、図１１（Ｂ）に示すように、径方向の外側の肉厚ｔｏ（図１１（Ａ）参照）が径方向の内側の肉厚ｔｉ（図１１（Ａ）参照）よりも大きい環状のレンズカット８ｂ１ａを透過する光Ｌｅ２の屈折作用によって、そのレンズカット８ｂ１ａが形成されていない場合よりも、リフレクタ７の奥行き感を増加させることができる。従って、第１の実施形態の電球互換型ＬＥＤランプ１００によれば、ＬＥＤ光源１（図１１（Ａ）参照）と導光レンズ８（図１１（Ａ）参照）の出射面８ａ４，８ｂ２（図１１（Ａ）参照）との距離（図１１（Ａ）の上下方向寸法）が小さい値に設定されている場合であっても、奥行き感のある見栄えを提供することができる。
第１の実施形態の電球互換型ＬＥＤランプ１００では、図１１（Ａ）に示すように、ＬＥＤ光源１の光軸１’を含む平面内における導光レンズ８のレンズカット８ｂ１ａの断面形状が曲線に設定されているが、代わりに、ＬＥＤ光源１の光軸１’を含む平面内における導光レンズ８のレンズカット８ｂ１ａの断面形状を直線に設定することも可能である。
【００６５】
第１の実施形態の電球互換型ＬＥＤランプ１００では、図７（Ａ）、図７（Ｂ）および図７（Ｄ）に示すように、リフレクタ７の中心軸線７’と直交する直線を、リフレクタ７の中心軸線７’を中心に回転させることにより得られる平面によって構成される中間反射面７ｃが、中央反射面７ａと周囲反射面７ｂとの間に配置されている。第４の実施形態の電球互換型ＬＥＤランプ１００では、代わりに、中間反射面７ｃを省略することも可能である。具体的には、例えば、第４の実施形態の電球互換型ＬＥＤランプ１００では、第１の実施形態の電球互換型ＬＥＤランプ１００よりも角度θａ（図７（Ｄ）参照）が大きい値に設定され、中央反射面７ａが周囲反射面７ｂまで延ばされている。
【００６６】
更に、第１の実施形態の電球互換型ＬＥＤランプ１００では、導光レンズ８（図１（Ａ）、図１（Ｃ）および図８参照）の中心軸線８’（図８（Ｂ）および図８（Ｄ）参照）とリフレクタ７（図１（Ｃ）および図７参照）の中心軸線７’（図７（Ａ）、図７（Ｂ）、図７（Ｄ）および図７（Ｂ）参照）とが概略一致するように、リフレクタ７が配置されている。また、第１の実施形態の電球互換型ＬＥＤランプ１００では、図１２（Ａ）に示すように、リフレクタ７の中央反射面７ａの外径Ｄ７ａが、概略ドット状のレンズカット８ａ４ａが形成された導光レンズ８の中央部８ａの出射面８ａ４の直径Ｄ８ａ４よりも大きくされている。
【００６７】
また、第１の実施形態の電球互換型ＬＥＤランプ１００では、図１２（Ｂ）に示すように、電球互換型ＬＥＤランプ１００の照射方向（図１２（Ｂ）の上側）からリフレクタ７の中央反射面７ａを見た時に、導光レンズ８の中央部８ａの出射面８ａ４の概略ドット状のレンズカット８ａ４ａがリフレクタ７の中央反射面７ａに映って見えるように、リフレクタ（７）の中央反射面（７ａ）の傾斜が設定されている。
【００６８】
つまり、第１の実施形態の電球互換型ＬＥＤランプ１００では、図１２（Ｂ）に示すように、入射光Ｌｓ１が導光レンズ８の中央部８ａの出射面８ａ４の概略ドット状のレンズカット８ａ４ａによって反射されて反射光Ｌｓ２になり、次いで、反射光Ｌｓ２が導光レンズ８の中央部８ａの反射面８ａ３を透過せしめられて透過光Ｌｓ３になり、次いで、透過光Ｌｓ３がリフレクタ７の中央反射面７ａによって反射されて反射光Ｌｓ４になり、次いで、反射光Ｌｓ４が導光レンズ８の周囲部８ｂの入射面８ｂ１を透過せしめられて透過光Ｌｓ５になり、次いで、透過光Ｌｓ５が導光レンズ８の周囲部８ｂの出射面８ｂ２を透過せしめられて透過光Ｌｓ６になる。
【００６９】
そのため、第１の実施形態の電球互換型ＬＥＤランプ１００によれば、電球互換型ＬＥＤランプ１００の照射方向（図１２（Ｂ）の上側）からリフレクタ７の中央反射面７ａを見た時に、あたかも概略ドット状の加工がリフレクタ７の中央反射面７ａに施されているかのように見えるようにすることができる。
【００７０】
更に、第１の実施形態の電球互換型ＬＥＤランプ１００では、図４〜図６に示すように、底部６ａと、側壁部６ｂと、ランプケース４（図１および図３参照）の本体部４ａ（図１（Ｂ）および図３参照）の係止溝４ａ１（図３（Ａ）および図３（Ｃ）参照）とスナップフィットによって係合する係止爪６ｃとを有するホルダ６が設けられている。
【００７１】
詳細には、第１の実施形態の電球互換型ＬＥＤランプ１００では、図４〜図６に示すように、基板２（図１（Ｃ）および図２参照）の位置決め穴２ｃ（図２（Ａ）参照）と嵌合する位置決め突起６ａ２ａが、ホルダ６の底部６ａの裏側表面（６ａ２）に形成されている。更に、導光レンズ８（図１（Ａ）、図１（Ｃ）および図８参照）の周囲部８ｂ（図８（Ｂ）参照）のフリンジ部８ｂ３（図８（Ｂ）参照）の外周面８ｂ３ａ（図８（Ｂ）参照）と嵌合する内周面６ｂ１が、ホルダ６の側壁部６ｂに形成されている。また、導光レンズ８の周囲部８ｂのフリンジ部８ｂ３の外周面８ｂ３ａに形成された係止突起８ｂ３ａ１（図８参照）とスナップフィットによって係合する係合穴６ｂ１ａが、ホルダ６の側壁部６ｂの内周面６ｂ１に形成されている。
【００７２】
更に、第１の実施形態の電球互換型ＬＥＤランプ１００では、図４〜図６に示すように、リフレクタ７（図１（Ｃ）および図７参照）のフリンジ部７ｄ（図７（Ａ）、図７（Ｂ）および図７（Ｄ）参照）の裏側表面７ｄ２（図７（Ｂ）、図７（Ｄ）および図７（Ｅ）参照）に当接する当接部６ｂ２が、ホルダ６の側壁部６ｂに形成されている。また、リフレクタ７のフリンジ部７ｄの外周面７ｄ１（図７（Ｄ）および図７（Ｅ）参照）と嵌合する内周面６ｂ３が、ホルダ６の側壁部６ｂに形成されている。
【００７３】
換言すれば、第１の実施形態の電球互換型ＬＥＤランプ１００では、図１（Ｃ）に示すように、光学的な機能部品であるＬＥＤ光源１が実装された基板２と、導光レンズ８と、リフレクタ７とが、ランプケース４の本体部４ａ（図１（Ｂ）および図３参照）に直接取り付けられて相対的に位置決めされるのではなく、ランプケース４よりも寸法公差を小さい値に設定することが可能なホルダ６に取り付けられて相対的に位置決めされる。そのため、第１の実施形態の電球互換型ＬＥＤランプ１００によれば、基板２と導光レンズ８とリフレクタ７とがランプケース４の本体部４ａに直接取り付けられて相対的に位置決めされる場合よりも、基板２と導光レンズ８とリフレクタ７との間の相対的な位置決め精度を向上させることができる。
【００７４】
更に、第１の実施形態の電球互換型ＬＥＤランプ１００では、図１（Ｃ）に示すように、ランプケース４の給電部４ｂ（図１（Ｂ）、図３（Ｂ）および図３（Ｃ）参照）に供給された交流電流を直流電流に変換してＬＥＤ光源１に供給するための電源ユニット５が、ランプケース４の本体部４ａ（図１（Ｂ）および図３参照）内に収容されている。また、ランプケース４の本体部４ａ内に熱伝導性樹脂（図示せず）が充填されている。
【００７５】
詳細には、第１の実施形態の電球互換型ＬＥＤランプ１００では、図１（Ｃ）に示すように、熱伝導性樹脂（図示せず）によって基板２の裏側表面２ｂ（図２（Ｂ）参照）とランプケース４の本体部４ａ（図１（Ｂ）および図３参照）とが熱的に接続されると共に、その熱伝導性樹脂（図示せず）によって電源ユニット５とランプケース４の本体部４ａとが熱的に接続されている。そのため、第１の実施形態の電球互換型ＬＥＤランプ１００によれば、基板２の裏側表面２ｂとランプケース４の本体部４ａとを熱的に接続する手段と、電源ユニット５とランプケース４の本体部４ａとを熱的に接続する手段とが別個に設けられている場合よりも、電球互換型ＬＥＤランプ１００全体のコストを削減することができる。
【００７６】
第８の実施形態では、上述した第１から第７の実施形態を適宜組み合わせることも可能である。
【符号の説明】
【００７７】
１            ＬＥＤ光源
１’          光軸
２            基板
４            ランプケース
４ｂ          給電部
７            リフレクタ
８            導光レンズ
８’          中心軸線
８ａ          中央部
８ａ１        入射面
８ａ２        入射面
８ａ３        反射面
８ａ４        出射面
８ａ４ａ      レンズカット
８ｂ          周囲部
１００        電球互換型ＬＥＤランプ
【図１】
0005563416.tif 000002
【図２】
0005563416.tif 000003
【図３】
0005563416.tif 000004
【図４】
0005563416.tif 000005
【図５】
0005563416.tif 000006
【図６】
0005563416.tif 000007
【図７】
0005563416.tif 000008
【図８】
0005563416.tif 000009
【図９】
0005563416.tif 000010
【図１０】
0005563416.tif 000011
【図１１】
0005563416.tif 000012
【図１２】
0005563416.tif 000013